(57)【要約】  【課題】画像読取装置において、メイン基板とキャリッジとを接続するケーブルに対してＥＳＤが発生した場合でも、読み取った画像データの画質低下を防ぐ。  【解決手段】ＳＯＣ１１０は、マスタークロック（ＭＣＫｂ）を、ＦＦＣ２００を介してキャリッジ３００のＴＧ３１０に出力する。また、マスタークロック（ＭＣＫａ）を、直接コンパレーター１３０に出力する。コンパレーター１３０は、入力された２つのマスタークロック（ＭＣＫａおよびＭＣＫｂ）を比較し、差分（位相差）がある場合に、その旨を示す信号をＳＯＣ１１０に出力する。ＳＯＣ１１０は、前記の信号を受け付けた場合に、ＡＦＥ１２０の出力データが異常であるものと判断し、適切な画像処理を行う。【選択図】図１
2010206585.tif 000002
【特許請求の範囲】
【請求項１】
メイン基板とイメージセンサーとがケーブルにより接続される画像読取装置であって、
前記メイン基板は、
第１のクロックを生成し、当該第１のクロックを第２のクロックとして前記イメージセンサーに送る手段と、
前記第１のクロックと、前記ケーブルで伝送されている前記第２のクロックとを比較し、差異を検出する手段と、
前記差異が検出された場合、前記イメージセンサーの出力データに異常があると判定する手段と、を有する、
ことを特徴とする画像読取装置。
【請求項２】
メイン基板とイメージセンサーとがケーブルにより接続される画像読取装置であって、
前記メイン基板と前記ケーブルとは、バッファーまたはフィルターを介して接続されており、
前記メイン基板は、
第１のクロックを生成し、当該第１のクロックを第２のクロックとして前記イメージセンサーに送る手段と、
前記バッファーまたは前記フィルターと前記メイン基板の間で伝送されている前記第２のクロックと、前記バッファーまたは前記フィルターを通過後に前記ケーブルで伝送されている第３のクロックとを比較し、差異を検出する手段と、
前記差異が検出された場合、前記イメージセンサーの出力データに異常があると判定する手段と、を有する、
ことを特徴とする画像読取装置。
【請求項３】
メイン基板とイメージセンサーとがケーブルにより接続される画像読取装置であって、
前記メイン基板は、
第１のクロックを生成し、当該第１のクロックを第２のクロックとして前記イメージセンサーに送る手段と、
前記第１のクロックと、前記イメージセンサーから前記ケーブルで伝送されて来た第３のクロックとを比較し、差異を検出する手段と、
前記差異が検出された場合、前記イメージセンサーの出力データに異常があると判定する手段と、を有し、
前記イメージセンサーは、
前記ケーブルで伝送されてきた前記第２のクロックを、前記第３のクロックとして前記メイン基板に送る手段を有する、
ことを特徴とする画像読取装置。
【請求項４】
メイン基板とイメージセンサーとがケーブルにより接続される画像読取装置であって、
前記メイン基板と前記ケーブルとは、バッファーまたはフィルターを介して接続されており、
前記メイン基板は、
第１のクロックを生成し、当該第１のクロックを第２のクロックとして前記イメージセンサーに送る手段と、
前記バッファーまたは前記フィルターと前記メイン基板の間で伝送されている前記第２のクロックと、前記イメージセンサーから前記ケーブルで伝送されて来た第３のクロックとを比較し、差異を検出する手段と、
前記差異が検出された場合、前記イメージセンサーの出力データに異常があると判定する手段と、を有し、
前記イメージセンサーは、
前記バッファーまたは前記フィルターを通過後に前記ケーブルで伝送されてきた第４のクロックを、前記第３のクロックとして前記メイン基板に送る手段を有する、
ことを特徴とする画像読取装置。
【請求項５】
メイン基板とイメージセンサーとがケーブルにより接続される画像読取装置であって、
前記メイン基板は、
第１のクロックを生成し、当該第１のクロックを第２のクロックとして前記イメージセンサーに送る手段と、
前記ケーブルで伝送されている前記第２のクロックと、前記イメージセンサーから前記ケーブルで伝送されて来た第３のクロックとを比較し、差異を検出する手段と、
前記差異が検出された場合、前記イメージセンサーの出力データに異常があると判定する手段と、を有し、
前記イメージセンサーは、
前記ケーブルで伝送されてきた前記第２のクロックを、前記第３のクロックとして前記メイン基板に送る手段を有する、
ことを特徴とする画像読取装置。
【発明の詳細な説明】
【技術分野】
【０００１】
本発明は、画像読取装置に関する。
【背景技術】
【０００２】
スキャナ、コピー機、ファクシミリ、複合機等の画像読取装置には、イメージセンサーや光源ランプを搭載したキャリッジ（例えばＣＩＳと呼ばれる）と、イメージセンサーの駆動やキャリッジの移動を制御する制御回路やＡＦＥ（Analog Front End）を備えたメイン基板とが、ケーブル（例えばＦＦＣ（Flxible Flat Cable））で接続された構造を有するものがある（例えば特許文献１）。
【０００３】
上記のような画像読取装置では、イメージセンサーを駆動するために用いられる駆動クロック（マスタークロック）は、メイン基板から出力されている。イメージセンサーは、供給されたマスタークロックに基づいて動作し、読み取った原稿の画像データ（出力信号）を、メイン基板に出力する。
【先行技術文献】
【特許文献】
【０００４】
【特許文献１】特開２００５−０１７５７２号公報
【発明の概要】
【発明が解決しようとする課題】
【０００５】
ところで、メイン基板とキャリッジとを接続するケーブルがＥＳＤ（Electrostatic Discharge）などの影響を受けると、当該ケーブルで伝送されるマスタークロックにノイズが入る場合がある。すると、イメージセンサーの駆動のタイミングに影響が生じ、出力信号にずれが生じる。
【０００６】
この結果、メイン基板のＡＦＥは、適切なタイミングで出力信号のサンプリング（ＣＤＳ：Correlated Double Sampling）を行うことができなくなる。適切でないタイミングで出力信号のサンプリングが行われると、読み取った画像データに横筋などのノイズが入り、画質が低下する。
【０００７】
そこで、本発明は、画像読取装置において、メイン基板とキャリッジとを接続するケーブルに対してＥＳＤが発生した場合でも、読み取った画像データの画質低下を防ぐための技術を提供することを目的とする。
【課題を解決するための手段】
【０００８】
上記の課題を解決するための本発明の第１の態様は、メイン基板とイメージセンサーとがケーブルにより接続される画像読取装置であって、前記メイン基板は、第１のクロックを生成し、当該第１のクロックを第２のクロックとして前記イメージセンサーに送る手段と、前記第１のクロックと、前記ケーブルで伝送されている前記第２のクロックとを比較し、差異を検出する手段と、前記差異が検出された場合、前記イメージセンサーの出力データに異常があると判定する手段と、を有する、ことを特徴とする。
【０００９】
また、上記の課題を解決するための本発明の第２の態様は、メイン基板とイメージセンサーとがケーブルにより接続される画像読取装置であって、前記メイン基板と前記ケーブルとは、バッファーまたはフィルターを介して接続されており、前記メイン基板は、第１のクロックを生成し、当該第１のクロックを第２のクロックとして前記イメージセンサーに送る手段と、前記バッファーまたは前記フィルターと前記メイン基板の間で伝送されている前記第２のクロックと、前記バッファーまたは前記フィルターを通過後に前記ケーブルで伝送されている第３のクロックとを比較し、差異を検出する手段と、前記差異が検出された場合、前記イメージセンサーの出力データに異常があると判定する手段と、を有する、とを特徴とする。
【００１０】
また、上記の課題を解決するための本発明の第３の態様は、メイン基板とイメージセンサーとがケーブルにより接続される画像読取装置であって、前記メイン基板は、第１のクロックを生成し、当該第１のクロックを第２のクロックとして前記イメージセンサーに送る手段と、前記第１のクロックと、前記イメージセンサーから前記ケーブルで伝送されて来た第３のクロックとを比較し、差異を検出する手段と、前記差異が検出された場合、前記イメージセンサーの出力データに異常があると判定する手段と、を有し、前記イメージセンサーは、前記ケーブルで伝送されてきた前記第２のクロックを、前記第３のクロックとして前記メイン基板に送る手段を有する、ことを特徴とする。
【００１１】
また、上記の課題を解決するための本発明の第４の態様は、メイン基板とイメージセンサーとがケーブルにより接続される画像読取装置であって、前記メイン基板と前記ケーブルとは、バッファーまたはフィルターを介して接続されており、前記メイン基板は、第１のクロックを生成し、当該第１のクロックを第２のクロックとして前記イメージセンサーに送る手段と、前記バッファーまたは前記フィルターと前記メイン基板の間で伝送されている前記第２のクロックと、前記イメージセンサーから前記ケーブルで伝送されて来た第３のクロックとを比較し、差異を検出する手段と、前記差異が検出された場合、前記イメージセンサーの出力データに異常があると判定する手段と、を有し、前記イメージセンサーは、前記バッファーまたは前記フィルターを通過後に前記ケーブルで伝送されてきた第４のクロックを、前記第３のクロックとして前記メイン基板に送る手段を有する、ことを特徴とする。
【００１２】
また、上記の課題を解決するための本発明の第５の態様は、メイン基板とイメージセンサーとがケーブルにより接続される画像読取装置であって、前記メイン基板は、第１のクロックを生成し、当該第１のクロックを第２のクロックとして前記イメージセンサーに送る手段と、前記ケーブルで伝送されている前記第２のクロックと、前記イメージセンサーから前記ケーブルで伝送されて来た第３のクロックとを比較し、差異を検出する手段と、前記差異が検出された場合、前記イメージセンサーの出力データに異常があると判定する手段と、を有し、前記イメージセンサーは、前記ケーブルで伝送されてきた前記第２のクロックを、前記第３のクロックとして前記メイン基板に送る手段を有する、ことを特徴とする。
【図面の簡単な説明】
【００１３】
【図１】本発明の第１実施形態に係る画像読取装置の概略構成を示すブロック図。
【図２】マスタークロックおよび出力信号の正常の波形を示すタイミングチャート図。
【図３】マスタークロックおよび出力信号のＥＳＤ発生時の波形を示すタイミングチャート図。
【図４】本発明の第２実施形態に係る画像読取装置の概略構成を示すブロック図。
【図５】本発明の第３実施形態に係る画像読取装置の概略構成を示すブロック図。
【図６】本発明の第４実施形態に係る画像読取装置の概略構成を示すブロック図。
【図７】本発明の第５実施形態に係る画像読取装置の概略構成を示すブロック図。
【発明を実施するための形態】
【００１４】
以下、本発明の実施形態の一例を、図面を参照して説明する。
【００１５】
図１は、本発明の第１実施形態が適用された画像読取装置１の概略構成を示す。
【００１６】
画像読取装置１は、筐体の上面に原稿台（不図示）を備えた、いわゆるフラットベッド型画像読取装置である。画像読取装置１は、キャリッジ３００を移動させながら、イメージセンサー３２０により透明板の原稿台に載置された原稿の画像を読み取る。
【００１７】
画像読取装置１は、図示するように、キャリッジ３００と、メイン基板１００とを備える。キャリッジ３００およびメイン基板１００は、ＦＦＣ２００により接続されている。
【００１８】
キャリッジ３００は、ＴＧ（Timing Generator）３１０およびイメージセンサー３２０を備える。また、ＬＥＤなどの光源ランプ（不図示）を備える。キャリッジ３００は、原稿台の盤面に対し平行なガイド用のシャフト等にスライド自在に取り付けられており、モーターにより回転するベルトにより副走査方向（もしくはその逆方向）に牽引される。
【００１９】
ＴＧ３１０は、メイン基板１００からＦＦＣ２００を介してマスタークロック（ＭＣＫｂ）を受信する。また、マスタークロック（ＭＣＫｂ）を用いてイメージセンサー３２０に供給するための駆動クロックを生成し、イメージセンサー３２０に出力する。
【００２０】
イメージセンサー３２０は、主走査方向に並んだ複数のセンサーチップからなる。各センサーチップは、例えば、通常のＣＣＤ（Charge Coupled Device）イメージセンサーと同様の構成を備えている。イメージセンサー３２０は、原稿に反射した光の受光量に応じて蓄積した電荷を、ＴＧ３１０から入力された駆動クロックに従って、電気信号（アナログ出力信号）として、ＦＦＣ２００を介してメイン基板１００に送る。
【００２１】
メイン基板１００は、画像読取装置１の全体を制御し、原稿の画像データを読み取るための種々の処理を行う。そのため、メイン基板１００は、ＳＯＣ（System on a Chip）と、ＡＦＥ１２０と、コンパレーター１３０とを備える。これら構成要素は、信号線により接続される。
【００２２】
ＳＯＣ１１０は、マスタークロックを生成する機構を有し、このマスタークロックに基づいて、原稿の画像データの読み取り動作を制御する。ＳＯＣ１１０は、マスタークロック（ＭＣＫｂ）を、ＦＦＣ２００を介してキャリッジ３００のＴＧ３１０に出力する。また、マスタークロック（ＭＣＫａ）を、直接コンパレーター１３０に出力する。また、マスタークロックと同期した、ＣＤＳのタイミングを示すＣＤＳ信号を、ＡＦＥ１２０に出力する。ＦＦＣ２００からは、直接コンパレーター１３０にマスタークロック（ＭＣＫｂ）が出力される。なお、ＳＯＣ１１０は、マスタークロックに基づいて、キャリッジ３００の光源ランプの発光、キャリッジ３００を移動するためのモーター等も制御する。
【００２３】
また、ＳＯＣ１１０は、ＡＦＥ１２０から出力される画素データ（デジタル信号）を順次受信し、各種画像処理（例えば、シェーディング補正など）を施し、所定の大きさ（たとえば、１ページ）の原稿の画像データを形成する。
【００２４】
なお、ＳＯＣ１１０は、例えば、主制御装置であるＣＰＵと、プログラム等が記録されたＲＯＭと、メインメモリーとしてデータ等を一時的に格納するＲＡＭと、ホスト等との入出力を制御するインターフェイスと、所定の画像処理を行う回路と、各構成要素間の通信経路となるバスとを備えた、ＡＳＩＣ（Application Specific Integrated Circuit）で構成することができる。
【００２５】
ＡＦＥ１２０は、イメージセンサー３２０から出力された出力信号（アナログ信号）を、ＳＯＣ１１０が使用可能なデジタル信号として出力する。ＡＦＥ１２０は、例えば、ＣＤＳ回路、ゲイン回路、Ａ／Ｄ変換回路などを有する。ＡＦＥ１２０は、ＳＯＣ１１０から供給されるＣＤＳ信号に基づいて、イメージセンサー３２０の出力信号のＣＤＳ回路によるサンプリングを行い、デジタル信号としてＳＯＣ１１０に出力する。
【００２６】
コンパレーター１３０は、入力された２つのマスタークロック（ＭＣＫａおよびＭＣＫｂ）を比較し、比較結果に応じて異なる信号を出力する回路である。例えば、コンパレーター１３０は、入力された２つのマスタークロックに差分（位相差）がある場合に、その旨を示す信号をＳＯＣ１１０に出力する。
【００２７】
ところで、ＦＦＣ２００に対してＥＳＤが発生すると、マスタークロック（ＭＣＫｂ）にノイズが乗る場合がある。すなわち、ＴＧ３１０に入力されるマスタークロック（ＭＣＫｂ）が、適切なタイミングを示すマスタークロック（ＭＣＫａ）と異なってしまうことがある。
【００２８】
マスタークロック間でずれが発生した場合、ＴＧ３１０が生成する駆動クロックのタイミングがずれる。その結果、イメージセンサー３２０が出力する出力信号にずれが生じ、ＡＦＥ１２０がサンプリングすべき適切なタイミングで、出力信号をサンプリングできないこととなる。
【００２９】
そこで、本発明は、マスタークロック（ＭＣＫｂ）のノイズを検知するための構成を有する。すなわち、メイン基板１００に、２つのマスタークロック間の差分を示す信号を出力するコンパレーター１３０を備える。そして、ＳＯＣ１１０は、コンパレーター１３０の出力信号により、マスタークロック（ＭＣＫｂ）の異常を検知する。
【００３０】
具体例を挙げて説明する。図２は、マスタークロックおよび出力信号の正常の波形を示すタイミングチャート図である。
【００３１】
本図に示すように、ＦＦＣ２００に対してＥＳＤが発生していないため、ＭＣＫａ、ＭＣＫｂ、ＣＤＳ信号は、理想どおり同期した波形となっている。また、出力信号は、所定の時間（図中の１画素分の間隔）ごとに、所定の波形パターンとして現れている。そのため、ＲＳ（リセット）サンプリングポイントでは、所定の基準を満たすＲＳレベルの信号がサンプリングされ、ＤＡＴＡサンプリングポイントでは、所定の基準を満たすＤＡＴＡレベルの信号がサンプリングされる。なお、コンパレーター出力信号は、ＭＣＫａおよびＭＣＫｂが同期しているため、差分がないことを示す一定の信号が出力されている。
【００３２】
一方、図３は、マスタークロックおよび出力信号のＥＳＤ発生時の波形を示すタイミングチャート図である。
【００３３】
本図に示すように、ＦＦＣ２００に対してＥＳＤが発生しているため、ＭＣＫｂの波形の一部が割れている（図中の矢印で示す箇所）。また、ＭＣＫｂの波形割れが影響し、出力信号の波形がずれている（ＲＳレベルの出力が早く開始されている）。メイン基板上の信号線を流れるＭＣＫａおよびＣＤＳ信号は、ＥＳＤの影響がないため、理想どおり同期している。そのため、コンパレーター出力信号は、ＭＣＫａおよびＭＣＫｂの差異が発生したときに、差異があることを示す信号が出力されている（図中の矢印で示す箇所）。
【００３４】
ＳＯＣ１１０は、上記のようにしてコンパレーター１３０から出力された信号に基づいて、マスタークロック（ＭＣＫｂ）の異常を検知する。ＳＯＣ１１０は、同一ライン（主走査方向の画素の集合）の画素データの読み取り中に、一度でもマスタークロック間に差異があることを示す信号をコンパレーター１３０から受け付けた場合、当該ラインに含まれる画素データが異常であるものとして全て読み捨てる。そして、例えば、正常に読み取りが行えた他のラインの画素データを用いて、当該ラインの画素データを補完する。
【００３５】
なお、出力信号の波形がずれた状態で、サンプリングおよび読み取りを継続した場合、ＲＳサンプリングポイントおよびＤＡＴＡサンプリングポイントでサンプリングできる信号レベルが所定の基準を満たさないため、当該ラインの画像データは、横筋などのノイズとなって現れてしまう。
【００３６】
本実施形態が適用された画像読取装置１は、以上のような構成からなる。ただし、この構成は、本願発明の特徴を説明するにあたって主要構成を説明したのであって、上記の構成に限られない。また、一般的な画像読取装置１が備える他の構成を排除するものではない。
【００３７】
また、上記した各構成要素は、画像読取装置１の構成を理解容易にするために、主な処理内容に応じて分類したものである。構成要素の分類の仕方や名称によって、本願発明が制限されることはない。画像読取装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００３８】
以上、本発明の第１実施形態について説明した。本実施形態によれば、メイン基板とキャリッジとを接続するケーブルに対してＥＳＤが発生した場合でも、読み取った画像データの画質低下を防ぐことができる。
【００３９】
すなわち、本実施形態は、メイン基板の内部で使用される第１のクロックと、メイン基板からケーブルを介して外部に出力される第２のクロックとを、コンパレーターで比較するようにしている。このような構成により、ＥＳＤによる第２のクロックの異常を検知し、読み取った画像データの補正を行うことができる。
【００４０】
次に、本発明の第２実施形態について、第１実施形態と異なる点を中心に説明する。図４は、本発明の第２実施形態が適用された画像読取装置１の概略構成を示す。
【００４１】
本図に示すように、メイン基板１００は、バッファー（出力バッファー）１４０を備える。ＳＯＣ１１０は、バッファー１４０を介してＦＦＣ２００と接続される。ＳＯＣ１１０は、マスタークロック（ＭＣＫａ）を、バッファー１４０を介してＦＦＣ２００に出力する。また、マスタークロック（ＭＣＫａ）を、バッファー１４０と接続される信号線から、直接コンパレーター１３０に出力する。ＦＦＣ２００からは、バッファー１４０を介さずに、直接コンパレーター１３０にマスタークロック（ＭＣＫｂ）が出力される。
【００４２】
コンパレーター１３０は、ＳＯＣ１１０から直接出力されたマスタークロック（ＭＣＫａ）と、ＳＯＣ１１０からバッファー１４０を介してＦＦＣ２００に出力されたマスタークロック（ＭＣＫｂ）とを受け付ける。
【００４３】
上記のようにバッファー１４０を設ければ、マスタークロック（ＭＣＫｂ）に載ったノイズはマスタークロック（ＭＣＫａ）に影響しない。そのため、ＦＦＣ２００に対してＥＳＤが発生した場合でも、コンパレーター１３０は、入力された２つのマスタークロック（ＭＣＫａおよびＭＣＫｂ）を比較し、差分を示す信号を出力することができる。その結果、ＳＯＣ１１０は、コンパレーター１３０の出力信号により、マスタークロック（ＭＣＫｂ）の異常を検知し、画素データの補完を行うことができる。
【００４４】
もちろん、バッファー１４０の代わりに、ＥＳＤにより生じたノイズに対応する特定の周波数域の信号を遮るフィルター（例えば、ＲＣフィルターやＬＣフィルター）を設けるようにしてもよい。
【００４５】
次に、本発明の第３実施形態について、第１実施形態と異なる点を中心に説明する。図５は、本発明の第３実施形態が適用された画像読取装置１の概略構成を示す。
【００４６】
本図に示すように、ＳＯＣ１１０は、マスタークロック（ＭＣＫｂ）を、ＦＦＣ２００を介してキャリッジ３００のＴＧ３１０に出力する。また、マスタークロック（ＭＣＫａ）を、直接コンパレーター１３０に出力する。ＴＧ３１０は、ＦＦＣ２００を介して入力されたマスタークロック（ＭＣＫｂ）を反転させて、マスタークロック（ＭＣＫｃ）をＦＦＣ２００を介してコンパレーター１３０に出力する。
【００４７】
コンパレーター１３０は、ＳＯＣ１１０から直接出力されたマスタークロック（ＭＣＫａ）と、ＴＧ３１０からＦＦＣ２００を介して出力されたマスタークロック（ＭＣＫｃ）とを受け付ける。
【００４８】
上記のようにすれば、ＦＦＣ２００に対してＥＳＤが発生した場合、コンパレーター１３０は、マスタークロック（ＭＣＫａ）と、実際にＴＧ３１０で使用されたマスタークロック（ＭＣＫｃ）を比較し、差分を示す信号を出力することができる。その結果、ＳＯＣ１１０は、コンパレーター１３０の出力信号により、マスタークロック（ＭＣＫｃ）の異常を検知し、画素データの補完を行うことができる。
【００４９】
次に、本発明の第４実施形態について、第１実施形態と異なる点を中心に説明する。図６は、本発明の第４実施形態が適用された画像読取装置１の概略構成を示す。
【００５０】
本図に示すように、メイン基板１００は、バッファー（出力バッファー）１４０を備える。ＳＯＣ１１０は、バッファー１４０を介してＦＦＣ２００と接続される。ＳＯＣ１１０は、マスタークロック（ＭＣＫａ）を、バッファー１４０を介してＦＦＣ２００に出力する。また、マスタークロック（ＭＣＫａ）を、バッファー１４０と接続される信号線から、直接コンパレーター１３０に出力する。ＴＧ３１０は、ＦＦＣ２００を介して入力されたマスタークロック（ＭＣＫｂ）を反転させて、マスタークロック（ＭＣＫｃ）をＦＦＣ２００を介してコンパレーター１３０に出力する。
【００５１】
コンパレーター１３０は、ＳＯＣ１１０から直接出力されたマスタークロック（ＭＣＫａ）と、ＴＧ３１０からＦＦＣ２００を介して出力されたマスタークロック（ＭＣＫｃ）とを受け付ける。
【００５２】
上記のようにバッファー１４０を設ければ、マスタークロック（ＭＣＫｂ）に載ったノイズはマスタークロック（ＭＣＫａ）に影響しない。そのため、ＦＦＣ２００に対してＥＳＤが発生した場合でも、コンパレーター１３０は、入力された２つのマスタークロック（ＭＣＫａおよび実際にＴＧ３１０で使用されたＭＣＫｃ）を比較し、差分を示す信号を出力することができる。その結果、ＳＯＣ１１０は、コンパレーター１３０の出力信号により、マスタークロック（ＭＣＫｃ）の異常を検知し、画素データの補完を行うことができる。
【００５３】
もちろん、バッファー１４０の代わりに、ＥＳＤにより生じたノイズに対応する特定の周波数域の信号を遮るフィルター（例えば、ＲＣフィルターやＬＣフィルター）を設けるようにしてもよい。
【００５４】
次に、本発明の第５実施形態について、第１実施形態と異なる点を中心に説明する。図７は、本発明の第５実施形態が適用された画像読取装置１の概略構成を示す。
【００５５】
本図に示すように、ＳＯＣ１１０は、マスタークロック（ＭＣＫｂ）を、ＦＦＣ２００を介してキャリッジ３００のＴＧ３１０に出力する。ＦＦＣ２００からは、直接コンパレーター１３０にマスタークロック（ＭＣＫｂ）が出力される。ＴＧ３１０は、ＦＦＣ２００を介して入力されたマスタークロック（ＭＣＫｂ）を反転させて、マスタークロック（ＭＣＫｃ）をＦＦＣ２００を介してコンパレーター１３０に出力する。
【００５６】
コンパレーター１３０は、ＳＯＣ１１０から直接出力されたマスタークロック（ＭＣＫｂ）と、ＴＧ３１０からＦＦＣ２００を介して出力されたマスタークロック（ＭＣＫｃ）とを受け付ける。
【００５７】
ここで、ＦＦＣ２００に対してＥＳＤが発生した場合、ＦＦＣ２００に含まれる複数の信号線を流れるそれぞれの信号に対して、常に全く同じノイズが乗るわけではない。すなわち、マスタークロック（ＭＣＫｂ）とマスタークロック（ＭＣＫｃ）には差分が生じる。
【００５８】
そのため、上記のように構成すれば、コンパレーター１３０は、マスタークロック（ＭＣＫｂ）とマスタークロック（ＭＣＫｃ）を比較し、差分を示す信号を出力することができる。その結果、ＳＯＣ１１０は、コンパレーター１３０の出力信号により、マスタークロック（ＭＣＫｂ）およびマスタークロック（ＭＣＫｃ）の異常を検知し、画素データの補完を行うことができる。
【００５９】
以上、本発明の実施形態について説明した。なお、上記の本発明の実施形態は、本発明の要旨と範囲を例示することを意図し、限定するものではない。多くの代替物、修正および変形例が当業者にとって明らかである。
【符号の説明】
【００６０】
１：画像読取装置、１００：メイン基板、１２０：ＡＦＥ、１３０：コンパレーター、１４０：バッファー、２００：ＦＦＣ、３００：キャリッジ、３１０：ＴＧ、３２０：イメージセンサー
【図１】
2010206585.tif 000003
【図２】
2010206585.tif 000004
【図３】
2010206585.tif 000005
【図４】
2010206585.tif 000006
【図５】
2010206585.tif 000007
【図６】
2010206585.tif 000008
【図７】
2010206585.tif 000009